(57)【要約】      （修正有）【課題】金属製ワイヤを用いることなく着用時のバストの保形性を向上させて自然で美しい胸元の谷間を強調することができる着用感の優れた、新たな婦人下着を提供する。【解決手段】婦人下着は、カップ２と、左右のカップ２の下辺２ａに縫着された伸縮テープ７と、カップ２の下辺２ａからカップ２の外側端部２ｃにわたって縫着され、カップ２の下辺部分を外から覆う寄せ上げ布と、該伸縮テープ７の下辺７ａに縫着された非伸縮性のワイヤ代用部材８、及び該ワイヤ代用部材８或いは伸縮テープ７の下辺７ａに縫着された前身頃２０と、前身頃２０の脇側端部２０ａから着用者の背中を覆う背面部材２１と、カップ２から背面部材２１に至る肩紐１０とを備える。寄せ上げ布の上辺は正面視でカップ２の最も高い頂点Ｐの下を通過するように設けられていれている。【選択図】図１
0003210852.tif 000002
【実用新案登録請求の範囲】
【請求項１】
左右一対のカップと、
左右一対のカップに跨り、その下辺に縫着された伸縮テープと、
該伸縮テープの下辺に縫着された非伸縮性のワイヤ代用部材と、
該ワイヤ代用部材或いは伸縮テープの下辺に縫着された前身頃と、
前身頃の脇側端部から着用者の背中を覆う背面部材と、
カップから背面部材に至る肩紐とを備えることを特徴とする婦人下着。
【請求項２】
左右一対のカップと、
左右一対のカップに跨り、その下辺に縫着された伸縮テープと、
左右一対のカップの下辺からカップの外側端部にわたって縫着され、カップの下辺部分を外から覆うように設けられた寄せ上げ布と、
該伸縮テープの下辺に縫着された非伸縮性のワイヤ代用部材と、
該ワイヤ代用部材或いは伸縮テープの下辺に縫着された前身頃と、
前身頃の脇側端部から着用者の背中を覆う背面部材と、
カップから背面部材に至る肩紐とを備える婦人下着であって、
寄せ上げ布の上辺は正面視でカップの最も高い頂点の下を通過するように設けられていれていることを特徴とする婦人下着。
【請求項３】
カップは、バストの下側を覆う下側パネル部分と、バストの上側を覆う上側パネル部分、上側パネル部分及び下側パネル部分の内の少なくとも下側パネル部分に隣接し、バストの胸元部分を覆う胸元側パネル部分とで構成され、
下側パネル部分は、上側パネル部分より厚みが大でカップの内側に膨出するように形成され、且つ、下側パネル部分の内面中央に上側パネル部分に向かう縦折り溝が設けられ、
前記胸元側パネル部分はカップの内側に膨出するように形成され、胸元側パネル部分の、下側パネル部分及び上側パネル部分に対して縦方向に伸びた境界斜面は下側パネル部分及び上側パネル部分の内、少なくとも下側パネル部分に対して壁状に形成されていることを特徴とする請求項１又は２に記載の婦人下着。 
【請求項４】
背面部材は、前身頃の一方の脇側端部から伸び、被係止具が設けられた一方のサイドパネルと、前身頃の他方の脇側端部から伸び、前記被係止具が係脱する係止具が設けられた他方のサイドパネルとで構成されていることを特徴とする請求項１又は２に記載の婦人下着。
【請求項５】
背面部材は、前身頃の一方の脇側端部から伸び、他方の脇側端部に至り、着用者の背面を覆う後身頃であること特徴とする請求項１又は２に記載の婦人下着。
【請求項６】
伸縮テープは、長手方向より短手方向の方が、単位長さあたりの伸縮率が大であることを特徴とする請求項１〜５のいずれかに記載の婦人下着。
【考案の詳細な説明】
【技術分野】
【０００１】
本考案はノンワイヤであるにも拘わらず、胸元に深い谷間が形成できて美しいバストラインを現出できる新規なブラジャーやキャミソールなど、カップを備えた婦人下着に関する。
【背景技術】
【０００２】
カップを備えた婦人下着の代表例であるブラジャーは、左右一対のカップと、左右一対のカップの下縁から内側縁にかけて縫着されたアンダーベルトと、各カップの脇側縁から延びるサイドパネルと、カップおよびサイドパネルに接続された肩紐とで形成されており、バストを支持するための金属製ワイヤがアンダーベルトの縫着ラインに沿わせてカップの下縁に設けられている（特許文献１参照）。
【０００３】
近年、ブラジャーを着用する際、カップ内に収容したバストをカップで心もち吊り上げ且つカップの胸元側に寄せて双球のバストによる谷間をカップの間に現出し、美しいバストラインを形成することが流行している。
【０００４】
処が、このブラジャーではカップの下縁の金属製ワイヤにてバストを支持し、カップの上端を肩紐で吊り上げるだけであるため、バストの下部はカップに収納されてカップの形に添い、きれいな丸みを呈するものの、胸元に美しいバストラインを形成したり双球のバストによる谷間をカップの間に現出させるには不十分であった。
【０００５】
しかも、上記のようにカップの下縁にバストを支持するための金属製ワイヤが設けられているので、サイドパネルをホックで止めて胸を締め付け、肩紐でカップのサイドを吊り上げた時、金属製ワイヤが着用者のバスト下縁（バージスライン）に食い込み、長時間の使用で疼痛感や不快感を与えるという問題があった。
なお、上記ブラジャーでは、カップの大きさが固定しているためにバストの大きさに対応して多種類のものを用意する必要もあった。
【先行技術文献】
【特許文献】
【０００６】
【特許文献１】特開２００４−３１６０３６号公報
【考案の開示】
【考案が解決しようとする課題】
【０００７】
そこで、金属製ワイヤを使用しない「ノンワイヤブラジャー」が提案された。その結果、長時間の着用での疼痛感や不快感が改善されたが、バストの「寄せ上げ機能」が不十分であるという問題点が生じた。また、バストサイズに合わせて多種類のものを用意しなければならないという問題点も解決できていなかった。
本考案の主たる目的は、金属製ワイヤを用いることなく着用時のバストの保形性を向上させて自然で美しい胸元の谷間を強調することができる着用感の優れた、新たな婦人下着を提供することにあり、従たる目的としてはバストサイズに合わせてカップの大きさが調整出来て例えば大中小というように用意する種類を少なくすることのできる婦人下着を提供することにある。
【課題を解決するための手段】
【０００８】
請求項１に記載した考案は、
左右一対のカップ２と、
左右一対のカップ２に跨り、その下辺２ａに縫着された伸縮テープ７と、
該伸縮テープ７の下辺７ａに縫着された非伸縮性のワイヤ代用部材８と、
該ワイヤ代用部材８或いは伸縮テープ７の下辺７ａに縫着された前身頃２０と、
前身頃２０の脇側端部２０ａ・２０ｂから着用者の背中を覆う背面部材２１と、
カップ２から背面部材２１に至る肩紐１０とを備える婦人下着１である。
【０００９】
請求項２に記載した考案は、
左右一対のカップ２と、
左右一対のカップ２に跨り、その下辺２ａに縫着された伸縮テープ７と、
左右一対のカップ２の下辺２ａからカップ２の外側端部２ｃにわたって縫着され、カップ２の下辺部分を外から覆うように設けられた寄せ上げ布９と、
該伸縮テープ７の下辺７ａに縫着された非伸縮性のワイヤ代用部材８と、
該ワイヤ代用部材８或いは伸縮テープ７の下辺７ａに縫着された前身頃２０と、
前身頃２０の脇側端部２０ａ・２０ｂから着用者の背中を覆う背面部材２１と、
カップ２から背面部材２１に至る肩紐１０とを備える婦人下着１であって、
寄せ上げ布９の上辺９ａは正面視でカップ２の最も高い頂点Ｐの下を通過するように設けられていれていることを特徴とする。
【００１０】
請求項３は、請求項１又は２の婦人下着１において、
カップ２は、バストＢの下側を覆う下側パネル部分３と、バストＢの上側を覆う上側パネル部分４、上側パネル部分４及び下側パネル部分３の内の少なくとも下側パネル部分３に隣接し、バストの胸元部分を覆う胸元側パネル部分５とで構成され、
下側パネル部分３は、上側パネル部分４より厚みが大でカップ２の内側に膨出するように形成され、且つ、下側パネル部分３の内面中央に上側パネル部分４に向かう縦折り溝６が設けられ、
前記胸元側パネル部分５はカップ２の内側に膨出するように形成され、胸元側パネル部分５の、下側パネル部分３及び上側パネル部分４に対して縦方向に伸びた境界斜面１１は下側パネル部分３及び上側パネル部分４の内、少なくとも下側パネル部分３に対して壁状に形成されていることを特徴とする。
【００１１】
請求項４に記載した考案は、請求項１又は２に記載された婦人下着１がブラジャーであって、
背面部材２１は、前身頃２０の一方の脇側端部２０ａから伸び、被係止具２４が設けられた一方のサイドパネル２１ａと、前身頃２０の他方の脇側端部２０ｂから伸び、前記被係止具２４が係脱する係止具２２が設けられた他方のサイドパネル２１ｂとで構成されていることを特徴とする。
【００１２】
請求項５に記載した考案は、請求項１又は２に記載された婦人下着１がキャミソールであって（図４参照）、
背面部材２１は、前身頃２０の一方の脇側端部２０ａから伸び、他方の脇側端部２０ｂに至り、着用者の背面を覆う後身頃２１ｄであること特徴とする。
【００１３】
請求項６に記載した考案は、請求項１〜５のいずれかに記載の婦人下着１において、
伸縮テープ７は、長手方向より短手方向の方が、単位長さあたりの伸縮率が大であることを特徴とする（図１参照）。
【考案の効果】
【００１４】
本考案では、分厚い下側パネル部分３の内面中央に縦折り溝６が設けられているので、カップ２が婦人下着１のバストＢに装着されると、肩紐１０で左右のカップ２の外側が吊り上げられ、縦折り溝６を中心に図３のように内側に折り曲げられる。これによってカップ２の内側に収納されているバストＢは両側から挟まれて縦折り溝６を中心に内側に寄せられると同時に厚みの大なる下側パネル部分３によって上に持ち上げられる。
【００１５】
この時、前述の内側に寄せられたバストＢの一部は胸元側に流れようとするが、カップ２の胸元側パネル部分５の壁状の境界斜面１１で押し返され、この部分も上に持ち上げられる。
【００１６】
加えて左右一対のカップ２に跨り、その下辺２ａに縫着された伸縮テープ７が収納されたバストＢに合わせて上下方向に伸縮して柔らかく包み込み、且つ非伸縮性のテープ状物であるワイヤ代用部材８がバージスラインＶをソフトに支え、着用者に疼痛感や不快感を与えることがない。同時に伸縮テープ７の存在がカップサイズを自動的に変えることになり、用意すべき婦人下着１のサイズを少なく出来る。
【００１７】
そして、寄せ上げ布９は必要に応じて設けられるが、これは伸縮テープ７の上（外側）に設けられ、寄せ上げ布９の上辺９ａはカップ２の頂点Ｐの下を通過するように設けられているので、上記のように肩紐１０でカップ２の外側端部２ｃが吊り上げられ時に同時に吊り上げられ、カップ２の下側パネル部分３を掬うように吊り上げ、バストＢに対するカップ２の寄せ上げ効果を一層高める。その結果、より美しいデコルテラインが胸元に形成されることになる。
【図面の簡単な説明】
【００１８】
【図１】本考案の婦人下着（寄せ上げ布なし）の斜視図である。
【図２】本考案の婦人下着（寄せ上げ布あり）の斜視図である。
【図３】図１のＸ−Ｘ断面矢視図である。
【図４】図２の正面図である。
【図５】図２のＹ−Ｙ断面矢視図である。
【図６】本考案の婦人下着がブラジャーの場合の背面図である。
【図７】本考案の婦人下着が他のブラジャーの場合の背面図である。
【考案を実施するための形態】
【００１９】
以下、本考案を図面に従って説明する。本考案が適用された婦人下着１は、ブラジャーやキャミソールのようなカップ２を使用するものである。図４の実線部分はブラジャー１を示し、ブラジャー１の下辺１ａから体の脇から体側に沿って引いた仮想線はキャミソールの前身頃２０を示す。以下、ブラジャー１を中心に説明するが、本考案はカップ２を使用する婦人下着１全般に及ぶことは言うまでもない。
【００２０】
ブラジャー１は左右一対のカップ２、伸縮テープ７、ワイヤ代用部材８、必要に応じて設けられる寄せ上げ布９、前身頃２０、背面部材２１である後身頃２１ｄ、又はサイドパネル２１ａ・２１ｂ、及び肩紐１０で大略構成されている。
【００２１】
カップ２は、バストＢを覆う椀状の部材であり、内部はソフトな発泡ウレタン樹脂を加圧・加熱環境下で金型成形した１枚もので、表裏両面に薄い布地が一体的に貼り付けられ、表側には必要に応じてレース地などが縫着されている。そして、カップ２の正面視で最も高い部分を頂点Ｐとする。
カップ２の外形形状は１種類ではなく、多種類あり、図１のように、カップ２の上辺２ｄは上方に湾曲し、カップ２の下辺２ａは下方に湾曲し、カップ２の外側辺（脇側）では、上辺２ｄと下辺２ａとが離れていてストレートな辺（この部分をこの場合、外側端部２ｃとする。）が形成され、カップ２の胸元側では、左右のカップ２を接続する連結部分５ｂが設けられている。
カップ２の外側端部２ｃの上部には肩紐１０の前端が縫着され、後述する背面部材２１（後身頃２１ｄ、サイドパネル２１ａ・２１ｂ）に後端が縫着されている。
【００２２】
カップ２の内面はバストＢの下側を覆う、上記頂点Ｐより下の部分に設けられ、厚手で内側に膨出した下側パネル部分３、頂点Ｐより上側で、下から押し上げられたバストＢの上側を覆う薄く圧縮された上側パネル部分４、及び上側パネル部分４及び下側パネル部分３の内の少なくとも下側パネル部分３に隣接し、バストの胸元部分を覆う胸元側パネル部分５とで構成されている。
【００２３】
下側パネル部分３は上側パネル部分４より大幅に厚く、下側パネル部分３と上側パネル部分４の境界部分ではカップ２の横幅全長に亘って全体的にスプーンで掬ったようになだらかに窪んでおり、この部分を窪み１２とする。図４他に於いて、窪み１２を網掛けで示す。窪み１２の中央部分が最も深く、カップ２の下辺２ａの中央からこの部分に至る浅いＶ形の縦折り溝６が下側パネル部分３を左右に２分割するように設けられている。縦折り溝６で分割された部分を胸元側分割部３ａ、脇側分割部３ｂとする。
【００２４】
そして、縦折り溝６の上端の上側部分が窪み１２の内で最も深く窪んでいる。この最も深く窪んでいる部分に乳頭が収納される。この部分がカップ２の表面に於いて最も高い部分（頂点Ｐ）である。そして、下側パネル部分３の左右に分割された胸元側分割部３ａ、及び脇側分割部３ｂの中央部分が最も厚く、下辺２ａ及び窪み１２に向かって強く圧縮されてその厚みは漸減し、下辺２ａは全長に亘って薄く圧縮されている。
【００２５】
上記のように上側パネル部分４と下側パネル部分３との境界部分は下側パネル部分３に連続した厚みで成形されているが、上辺２ｄに向かって強く圧縮され、上辺２ｄは下辺２ａと同様全長に亘って薄く圧縮されている。上側パネル部分４の全体は、下側パネル部分３に比べて大きく圧縮され、全体に薄い球面凸面状である。
【００２６】
胸元側パネル部分５は、膨出部分５ａと上記連結部分５ｂとを有する。膨出部分５ａは略三角形状で下側パネル部分３と同様、カップ２の内側に大きく膨出するように形成されている。膨出部分５ａの下側パネル部分３及び上側パネル部分４に面する縦方向に伸びた傾斜面（この部分を境界斜面１１とする）は、下側パネル部分３及び上側パネル部分４の対向面に対して鈍角であるが、９０°に近い鈍角の壁状に形成されている。
そして、境界斜面１１に沿って下辺２ａから上辺２ｄに至る浅い境界溝１１ａがカップ内面に形成されている。即ち、縦折り溝６と境界溝１１ａの２本の浅い溝が縦方向に形成されることになる。
【００２７】
そして、カップ２の胸元側には膨出部分５ａに隣接して三角形の連結部分５ｂが延出されている。この形状は三角形に限られるものでなく、カップ２を互いに接続できる形状であればよい。後述するワイヤ代用部材８のような紐状のもので、左右のカップ２が接続できるのであれば、連結部分５ｂはなくてもよい。なお、カップ２は連結部分５ｂを含め、カップ２の外縁全体が薄く圧縮されていて外縁に沿う方向の伸びは殆どない。そして、図の第１実施例では、左右のカップ２の連結部分５ｂが突きあわされて一体的に縫着され、これにより左右のカップ２が対称的に配置される。
【００２８】
伸縮テープ７は、縦（短手）方向の糸が例えばスパンデックス糸のような伸縮性素材で形成され、横（長手）方向の糸には伸縮性の乏しい素材で形成されている。伸縮テープ７の上辺は、左右両カップ２を繋ぐようにその下辺２ａ全体（一方の下辺２ａの外側端部から左右の連結部分５ｂの下辺を通り、他方の下辺２ａの外側端部に至る下辺２ａ全体）に縫着されている。伸縮テープ７の下辺は、次に述べるワイヤ代用部材８と共に前身頃２０に縫着される。
【００２９】
ワイヤ代用部材８は、伸縮性の乏しいが柔軟性に富む紐状の部材で、伸縮テープ７の下辺と共に前身頃２０の上辺に縫着されている。（勿論、ワイヤ代用部材８を介して伸縮テープ７の下辺と前身頃２０の上辺とを繋ぐようにしてもよい。）ワイヤ代用部材８は、従来の金属又は樹脂ワイヤの代わりに使用される。
【００３０】
寄せ上げ布９は、必要に応じて設けられ、図１は寄せ上げ布９なしの場合であり、図２は寄せ上げ布９ありの場合である。寄せ上げ布９ありの場合では、カップ２の下辺部分を外から覆うように設けられ、その一方の側辺は、一方のカップ２の外側端部２ｃに縫着され、他方の側辺は他方のカップ２の外側端部２ｃに縫着され、寄せ上げ布９の下辺は伸縮テープや、ワイヤ代用部材８と共に前身頃２０の上辺に縫着されている。寄せ上げ布９は全体が１枚の布である必要はなく、図示していないが、カップ２の外側端部２ｃに縫着されている部分は伸縮性に乏しい生地を使用し、その間に伸縮性に富む布を縫い付けてもよい。
【００３１】
寄せ上げ布９の上辺９ａは左右のカップ２の頂点Ｐの下を通過し、両カップ２の下部である下側パネル部分３を下側から包むように取り付けられ、その上辺９ａは左右のカップ対してフリーとなっている。寄せ上げ布９も伸縮テープ７と同様、縦（短手）方向の糸が例えばスパンデックス糸のような伸縮性素材で形成され、横（長手）方向の糸には伸縮性の乏しい素材で形成されている。寄せ上げ布９は１枚でも良いが、本実施例では縦幅の異なる３枚の寄せ上げ布９が重ね合わされて（或いは、２枚使いで折り重ねて）用いられており、最内側の寄せ上げ布を９ｘ、中間の寄せ上げ布を９ｙ、及び最外側の寄せ上げ布を９ｚで示す。この場合、寄せ上げ布９の上辺９ａとは、最内側の寄せ上げ布９ｘの上辺を言う。
【００３２】
前身頃２０は、ブラジャーの場合、アンダーベルトに相当するもので、横（胴廻り）方向にはスパンデックス糸のような伸縮性素材で形成され、縦方向の糸には伸縮性の乏しい素材で形成されている。前身頃２０の上辺はＵ形に刳られ、寄せ上げ布９の下辺や伸縮テープ７の下辺に縫着されている。そして、ワイヤ代用部材８は前身頃２０の上辺にＵ形に縫着されている。従って、前身頃２０の上辺部分はワイヤ代用部材８に拘束されて伸びにくくなっている。
そして、前身頃２０は、カップ２の下辺２ａを越えて着用者の脇（体側）まで伸びている。その端部を脇側端部２０ａ・２０ｂとし、脇側端部２０ａ・２０ｂで背面部材２１である後身頃２１ｄに縫着される。
【００３３】
後身頃２１ｄは、縦横にスパンデックス糸のような伸縮性素材が用いられ、横（胴回り）方向、及び上下方向に大きく伸縮する（図６）。
図７のように後身頃２１ｄの代わりに雌・雄ホック２２・２４が設けられたサイドベルト２１ａ・２１ｂを用いてもよい。サイドパネル２１ａ・２１ｂは、長手方向に伸縮性を有する繊維素材によって形成された厚手の帯状部材であり、サイドパネル２１ａ・２１ｂの一端が前身頃２０の脇側端部２０ａ・２０ｂにそれぞれ縫着されている。そして、一方のサイドパネル２１ａの先端部には、被係止具２４が取り付けられており、他方のサイドパネル２１ｂの先端部には、被係止具２４に係止される係止具２２が取り付けられている（図６参照）。
【００３４】
婦人下着１がキャミソールの場合は、図４に仮想線で示すように前身頃２０と後身頃２１ｄが下方に伸びた形状となっている。
【００３５】
肩紐１０は、カップ２の位置ずれを防止するとともにカップ２に収納されたバストＢを持ち上げて保持するものであり、肩紐１０の前端がカップ２の外側端部２ｃに接続されている。外側端部２ｃは、着用時にカップ２の外側端部を吊り上げる働きを示す。肩紐１０の後端は後身頃２１ｄ（サイドパネル２１ａ・２１ｂ）の上辺に縫着される。
【００３６】
肩紐１０から外側端部２ｃを越えて後身頃２１ｄ（サイドパネル２１ａ・２１ｂ）に至る部分には長手方向（肩紐１０とサイドパネル２１ａ・２１ｂに沿う方向）及び幅方向に伸縮性を有する細長い三角形状の補助脇布２５が２重使いで縫着されている。
【００３７】
次に、婦人下着１を着用した状態を説明する。着用状態では、近傍の贅肉や皮下脂肪と共に内側へ寄せられ、バストＢと共にカップ２がこれらを保形する。そして、肩紐１０の吊り上げ力によって、バストＢが持ち上げられ、外から内側に寄せられる。この点を詳述する。
婦人下着（ブラジャー）１を装着すると、前身頃２０と、後身頃２１ｄ（サイドパネル２１ａ・２１ｂ）の締付力によってワイヤ代用部材８がバージスラインＶに当たり（或いは入り込み）、カップ２がバストＢを包み込む。この時、ワイヤ代用部材８には金属或いは樹脂ワイヤは入っていないため皮膚にソフトに接触する。ワイヤ代用部材８は伸びないので、バージスラインにぴったりと沿う。
【００３８】
そして脇や背中から寄せ集められた贅肉或いは皮下脂肪は、上記のように、バストＢとしてカップ２に収納される。カップ２の下側パネル部分３が内側に膨出するように形成されているため、収納されたバストＢの下部は下側パネル部分３の膨出部分５ａによって上に押し上げられ、押し上げられた状態でカップ２の窪み１２に乳首が入り込む。
【００３９】
この状態で肩紐１０がカップ２の外側端部２ｃを上に引き上げられ、且つ後身頃２１ｄによる引き締めとで、図３示すように、カップ２の内側半分（胸元側分割部３ａ）を中心に下側パネル部分３に設けられた縦折り溝６からカップ２の外側半分（脇側分割部３ｂ）が軽く内側に縦折りされ、前述のようにカップ２内で上に押し上げられたバストＢの外側半分が更に両側から押されてあたかも両側から挟まれたような状態になり、カップ２の上辺２ｄから上に溢れ、同時にカップ２の内側に於いてバストのＢ一部がカップ２の内側方向に流れる。
【００４０】
胸元側パネル部分５は前述のように内側から見ると略三角形状で、カップ２の内側に膨出するように形成され、胸元側パネル部分５の下側パネル部分３及び上側パネル部分４との縦方向に伸びた境界斜面１１は下側パネル部分３及び上側パネル部分４に対して壁状に形成されており、その境界に浅い線状の境界溝１１ａが形成され、折れやすくなっている。そのためこの部分でも軽く屈曲する。その結果、壁状の境界斜面１１は下側パネル部分３及び上側パネル部分４に対して少し内側に折れた境界溝１１ａから急角度に立ち上がり、内側に流れた前記バストＢを押し戻す。押し戻されたバストは胸元に於いてカップ２の上辺２ｄから上に溢れ、これによって、くっきりとした谷間を胸元に作ることが出来る。
【００４１】
また、カップ２に収納された贅肉や皮下脂肪を含むバストＢは脇側に流れる場合もあり、その場合は補助脇布２５が脇側に流れたバストＢを上から押さえこんでカップ２の脇からの盛り上がりを押さえる。これによりバストＢ全体が美しく整えられる。本考案に於いて、縦折り溝６及び境界溝１１ａもカップ２の半球形状を損なうような大きく曲がるものではないため、カップ２の丸みは損なわれるようなことはない。
【００４２】
寄せ上げ布９が用いられた場合は、伸縮テープ７の上（外側）に設けられ、寄せ上げ布９の上辺９ａはカップ２の頂点Ｐの下を通過するように設けられているので、肩紐１０でカップ２の外側端部２ｃが吊り上げられ時に同時に吊り上げられ、カップ２の下側パネル部分３を掬うように吊り上げ、バストＢに対するカップ２の寄せ上げ効果を一層高める。その結果、より美しいデコルテラインが胸元に形成されることになる。
【００４３】
なお、伸縮テープ７は前述のように縦方向の糸が例えばスパンデックス糸のような伸縮性素材で形成され、横(胴回り)方向には伸びの乏しい素材を使用しているため、バストのボリュームが豊かな場合、バストに合わせて伸縮テープ７が縦方向に伸びて余分な量を吸収する。その結果、カップサイズは大中小の３種類程度で足ることになり、製品サイズの種類を少なくできる。
【００４４】
婦人下着１がキャミソールの場合でも、カップ２の部分はブラジャーと同様に働く。
【符号の説明】
【００４５】
１…婦人下着（ブラジャー、キャミソール）、１ａ…下辺、２…カップ、２ａ…下辺、２ｃ…外側端部、２ｄ…上辺、３…下側パネル部分、３ａ…胸元側分割部、３ｂ…脇側分割部、４…上側パネル部分、５…胸元側パネル部分、５ａ…膨出部分、５ｂ…連結部分、６…縦折り溝、７…伸縮テープ、７ａ…伸縮テープの下辺、８…ワイヤ代用部材、９…寄せ上げ布、９ａ…寄せ上げ布の上辺、９ｘ…最内側の寄せ上げ布、９ｙ…中間の寄せ上げ布、９ｚ…最外側の寄せ上げ布、１０…肩紐、１１…境界斜面、１１ａ…境界溝、１２…窪み、２０…前身頃、２０ａ・２０ｂ…脇側端部、２１…背面部材（２１ａ・２１ｂ…サイドパネル、２１ｄ…後身頃）、２２…係止具（雄ホック）、２４…被係止具（雌ホック）、２５…補助脇布、Ｂ…バスト、Ｐ…頂点、Ｖ…バージスライン。
【図１】
0003210852.tif 000003
【図２】
0003210852.tif 000004
【図３】
0003210852.tif 000005
【図４】
0003210852.tif 000006
【図５】
0003210852.tif 000007
【図６】
0003210852.tif 000008
【図７】
0003210852.tif 000009